(57)【要約】【課題】この考案は、縦穴掘削と横穴掘削のいずれにも用いることができる縦穴・横穴掘削兼用のハンドオーガセットに関する。【解決手段】スクリューオーガと、該スクリューオーガを連結してスクリューオーガを回転させる駆動部と、該駆動部を着脱可能に連結する縦穴掘削用支持部材と、前記駆動部を着脱可能に連結する横穴掘削用支持部材とからなる縦穴・横穴掘削兼用のハンドオーガセットであって、横穴掘削用支持部材の第１支持板と縦穴掘削用支持部材の第２支持板とを共通の構成とすることによって、１つの駆動部をいずれの支持板にも固定することができるようにして縦穴・横穴掘削兼用のハンドオーガとしたことを特徴とする。【選択図】図１
0003127174.tif 000002
【実用新案登録請求の範囲】
【請求項１】
スクリューオーガと、該スクリューオーガを連結してスクリューオーガを回転させる駆動部と、該駆動部を着脱可能に連結する縦穴掘削用支持部材と、前記駆動部を着脱可能に連結する横穴掘削用支持部材とからなる縦穴・横穴掘削兼用のハンドオーガセットであって、
駆動部が、
駆動部本体と、
該駆動部本体から一方に突出してスクリューオーガの基端を嵌合し着脱可能に連結する筒状のオーガ連結部と、
前記駆動部本体で駆動部の作動を制御する作動制御軸と、
前記駆動部本体でオーガ連結部の基端近傍に形成されてボルトなどの固定部材を緊締するための固定受部とを有しており
横穴掘削用支持部材が、
脚部と、
両端が開いて略Ｕ字状に形成され、前記脚部に略垂直に立設された第１支持枠と、
該第１支持枠の折れ曲がり部分を塞ぐように固定され、駆動部のスクリューオーガ連結部を貫挿する第１挿通孔部と、
該第１挿通孔部に近接して前記駆動部本体を固着するためのボルト等の固定部材を通すための第１取付穴部とを有する第１支持板と、
該第１支持枠に枢着された第１ハンドル部と前記第１支持板に固定された駆動部の作動制御軸に着脱可能に連結された第１作動リンク部材とからなって、第１ハンドル部の操作で第１作動リンク部材を介して作動制御作軸を変位させる第１操作レバーとからなっており、
縦穴掘削用支持部材が、
両端が徐々に拡開しながら離間する第２支持枠と、
該第２支持枠の折れ曲がり部分を塞ぐように固定され、駆動部のスクリューオーガ連結部を貫挿する第２挿通孔部と、
該第２挿通孔部に近接して前記駆動部本体を固着するためのボルト等の固定部材を通すための第２取付穴部とを有する第２支持板と、
該第２支持板に固定されて補助アームを着脱する補助アーム連結部と、
前記第２支持枠に枢着された第２ハンドル部と前記第２支持板に固定された駆動部の作動制御軸に着脱可能に連結された第２作動リンク部材とからなって、第２ハンドル部の操作で第２作動リンク部材を介して作動制御作軸を変位させる第２操作レバーとからなっていることを特徴とする縦穴・横穴掘削兼用のハンドオーガセット。
【請求項２】
オーガ連結部が穴部を有し、スクリューオーガがオーガ連結部に嵌合される連結基部に前記穴部に対応した個所に出没可能なスナップボタンを有しており、
該スナップボタンを前記穴部の外から内側に押し込んで外す押込みピンをプライヤーの先端の一対の摘み部の一方に立設したスナップボタン用プライヤを備えてなることを特徴とする請求項１に記載の縦穴・横穴掘削兼用のハンドオーガセット。
【考案の詳細な説明】
【技術分野】
【０００１】
本考案は、縦穴掘削と横穴掘削のいずれにも用いることができる縦穴・横穴掘削兼用のハンドオーガセットに関するものである。
【背景技術】
【０００２】
従来、スクリューオーガによる掘削作業を簡便に行う装置として、例えば実開平１−７９６９１号に示すエンジンを駆動源とした縦穴掘削用の穴堀機や、特開平９−１７０３９２号に示す横穴掘削用のスクリューオーガ推進装置が知られている。
しかし、これらの掘削装置では、縦穴あるいは横穴のいずれか一方の掘削にしか用いることができなかった。
一方、地中埋設管の入れ替え工事や、配管の近接、下越し作業等においては、作業条件に応じて縦穴掘削用と横穴掘削用の簡易掘削機が必要となるが、縦穴掘削専用機と横穴掘削専用機の両方を用意することは、費用や収納スペースが倍増するなどの問題点があった。
【特許文献１】実開平１−７９６９１号公報
【特許文献２】特開平９−１７０３９２号公報
【考案の開示】
【考案が解決しようとする課題】
【０００３】
この考案は上記問題点に鑑みて創案されたものであって、その主たる課題は、スクリューオーガの駆動部分を共通化しておき、その支持部材を取り替えることで縦穴掘削と横穴掘削を兼用することができるようにした縦穴・横穴掘削兼用のハンドオーガセットを提供することにある。
【課題を解決するための手段】
【０００４】
上記課題を解決するために、請求項１の考案では、
スクリューオーガと、該スクリューオーガを着脱可能に連結してスクリューオーガを回転させる駆動部と、該駆動部を着脱可能に連結する縦穴掘削用支持部材と、前記駆動部を着脱可能に連結する横穴掘削用支持部材とからなる縦穴・横穴掘削兼用のハンドオーガセットであって、
駆動部が、
駆動部本体と、
該駆動部本体から一方に突出してスクリューオーガを着脱可能に連結するオーガ連結部と、
前記駆動部本体で駆動部の作動を制御する作動制御軸と、
前記駆動部本体でオーガ連結部の基端近傍に形成されてボルトなどの固定部材を緊締するための固定受部とを有しており
横穴掘削用支持部材が、
脚部と、
両端が開いて略Ｕ字状に形成され、前記脚部に略垂直に立設された第１支持枠と、
該第１支持枠の折れ曲がり部分を塞ぐように固定され、駆動部のスクリューオーガ連結部を貫挿する第１挿通孔部と、
該第１挿通孔部に近接して前記駆動部本体を固着するためのボルト等の固定部材を通すための第１取付穴部とを有する第１支持板と、
該第１支持枠に枢着された第１ハンドル部と前記第１支持板に固定された駆動部の作動制御軸に着脱可能に連結された第１作動リンク部材とからなって、第１ハンドル部の操作で第１作動リンク部材を介して作動制御作軸を変位させる第１操作レバーとからなっており、
縦穴掘削用支持部材が、
両端が徐々に拡開しながら離間する第２支持枠と、
該第２支持枠の折れ曲がり部分を塞ぐように固定され、駆動部のスクリューオーガ連結部を貫挿する第２挿通孔部と、
該第２挿通孔部に近接して前記駆動部本体を固着するためのボルト等の固定部材を通すための第２取付穴部とを有する第２支持板と、
該第２支持板に固定されて補助アームを着脱する補助アーム連結部と、
前記第２支持枠に枢着された第２ハンドル部と前記第２支持板に固定された駆動部の作動制御軸に着脱可能に連結された第２作動リンク部材とからなって、第２ハンドル部の操作で第２作動リンク部材を介して作動制御作軸を変位させる第２操作レバーとからなっていることを特徴とする。
また、請求項２の考案では、
前記オーガ連結部が穴部を有し、スクリューオーガがオーガ連結部に嵌合される連結基部に前記穴部に対応した個所に出没可能なスナップボタンを有しており、
該スナップボタンを前記穴部の外から内側に押し込んで外す押込みピンをプライヤーの先端の一対の摘み部の一方に立設したスナップボタン用プライヤを備えてなることを特徴とする。
【考案の効果】
【０００５】
本考案では、スクリューオーガと駆動部とを用意しておき、その支持部材である横穴掘削用支持部材と縦穴掘削用支持部材とにそれぞれ設けられた第１支持板と第２支持板の連結構造を共通の仕様としておくことで、作業時には、上記縦穴掘削用支持部材または横穴掘削用支持部材のいずれかに駆動部を取り付けることで経済的に縦穴・横穴掘削兼用のハンドオーガを用意することができる。
また、収納に際しては、スクリューオーガと駆動部と縦穴掘削用支持部材と横穴掘削用支持部材とに分けて収納することができるのでスペースセービングが図れる。
また、スクリューオーガを駆動部から取り外す際には専用のスナップボタン用プライヤを用意しておけば、一層の作業の効率化を図ることができる。
その他の部材の連結に際してもスナップボタンを共通化しておけば一層便利である。
【考案を実施するための最良の形態】
【０００６】
この考案は、スクリューオーガと駆動部を、その支持部材である縦穴掘削用支持部材または横穴掘削用支持部材と別体とし、兼用可能とすることで、縦穴掘削と横穴掘削の兼用を実現した。
【実施例１】
【０００７】
以下にこの考案の縦穴・横穴掘削兼用のハンドオーガセットの好適実施例について、図面を参照しながら説明する。
縦穴・横穴掘削兼用のハンドオーガセットは、図２や図５に示すスクリューオーガ１と、該スクリューオーガ１を着脱可能に連結してスクリューオーガ１を回転させる図１や図４に示す駆動部２と、該駆動部２を着脱可能に連結する図１に示す横穴掘削用支持部材３と、前記駆動部２を着脱可能に連結する図４に示す縦穴掘削用支持部材４とからなっている。
【０００８】
［スクリューオーガ］
スクリューオーガ１は、ヘッドが後述のオーガ連結部２２に嵌合される連結基部１１となっており、該連結基部１１の所定個所に配置されて出没可能なスナップボタン１２を有する公知構成からなっている。
【０００９】
［駆動部］
駆動部２は、本実施例の場合、油圧モータ（図示せず）を内蔵した駆動部本体２１と、該駆動部本体２１から一方に突出してスクリューオーガ１を着脱可能に連結する角筒状のオーガ連結部２２とからなっている。
即ち、オーガ連結部２２には、前記スナップボタン１２を出没させる穴部２２ａが形成されており、スクリューオーガ１を駆動部２に着脱可能に連結することができる。
【００１０】
前記駆動部本体２１には、内蔵された油圧モータの作動を制御する方向制御弁（図示せず）の位置切替用の作動制御軸２３が側方に突出している。
また、オーガ連結部２２の基端となる前記駆動部本体２１には、該オーガ連結部２２の基端を囲むように複数（図示例では４つ）のボルト穴からなる固定受部２４が形成されている（図２参照）。
ここで、固定受部２４は、固定手段に応じてこれに対応する受部の構造が採られればよい。
【００１１】
［横穴掘削用支持部材］
横穴掘削用支持部材３は、図１から図３に示すように、左右一対の脚部３１と、該脚部３１に支持されると共に第１支持板３２を固着した第１支持枠３３と、該第１支持枠３３に枢着された第１操作レバー３４とからなっている。
【００１２】
［脚部］
脚部３１は、前後で上向きに斜めに折れ曲がるソリ状の脚台部３１ａと、該脚台部３１ａの水平面の前後から立ち上がり中央上端でつながる倒立Ｖ字状の支脚部３１ｂとからなっている。
【００１３】
［第１支持枠］
この一対の脚部３１間に、両端が開いて略Ｕ字状に形成されたパイプからなって、前記脚部３１間に略垂直に立設された第１支持枠３３が設けられている。
【００１４】
［第１支持板］
第１支持板３２は金属板からなっており、前記第１支持枠３３の下部の湾曲して折れ曲がる部分を塞ぐように溶接等で固定されている。
この第１支持板３２には、前記駆動部２のオーガ連結部２２を貫挿する円形孔からなる第１挿通孔部３２ａと、該第１挿通孔部３２ａを中心にしてその周りに略等間隔に複数（図示例では４つ）の第１取付穴３２ｂとが穿設されている。
【００１５】
第１取付穴３２ｂは、第１支持板３２に駆動部本体２１を固着するためのボルト５を挿通させる穴であって、ボルト５は、第１取付穴３２ｂを通って駆動部本体２１の固定受部２４に挿入されネジにより緊締されて、駆動部２を第１支持板３２に固定することができる。
ここでボルト５は固定部材の一例を示すもので、その他公知の固定手段を用いることができる。
【００１６】
［第１操作レバー］
前記第１支持枠３３の一方のアームＡ１側に、第１操作レバー３４が枢着Ｐ１されている。
この第１操作レバー３４は、手動操作用の第１ハンドル部３４ａと、該第１ハンドル部３４ａと一体に連動して前記作動制御作軸２３を変位することのできる第１作動リンク部材３４ｂとからなっている。
第１ハンドル部３４ａは、前記アームＡ１を中央にして内側に短手のグリップＧ１が設けられ、外側に長手のグリップＧ２が設けられており、上記グリップＧ１、Ｇ２間を繋ぐグリップ連結片Ｇ３が形成された構成からなっており、上記グリップ連結片Ｇ３の前面側が前記アームＡ１に枢着Ｐ１されている。
【００１７】
前記グリップ連結片Ｇ３の後面側の中途位置（図示例では枢軸位置）には断面アングル状の連結片３４ｃが固着されており、該連結片３４ｃの後面にＬ状の棒材からなる第１作動リンク部材３４ｂが固着されて内向きで斜め下向きに延びている。
第１作動リンク部材３４ｂは、その先端が、前記第１支持板３２に固定された駆動部２の作動制御軸２３の先端に枢着されている。
図示例では、第１作動リンク部材３４ｂの先端を薄肉に設定し、作動制御軸２３の先端に第１作動リンク部材３４ｂの先端を挿入可能な溝を形成しておき、両者を着脱可能なスナップピン（図示省略）で連結して、第１作動リンク部材３４ｂの枢動により作動制御軸２３を正逆方向に回転させるようになっている。
【００１８】
なお、図中３５は、ハンドオーガーの前進後進および振れ止め防止部材であって、第１支持枠３３の左右のアームの後面から突出する一対の支持アーム３５ａと、該支持アーム間３５ａ、３５ａに取り付けられて中央にガイド筒３５ｂを有する保持軸３５ｃとからなっている。
【００１９】
横穴掘削用支持部材３は、上記構成からなっているので、駆動部２のオーガ連結部２２を第１支持板３２の第１挿通孔部３２ａに挿入して位置決めし、第１支持板３２の前方からボルト５を第１取付穴３２ｂに挿通して駆動部本体２１の固定受部２４にネジ止めし、駆動部２を第１支持板３２に固定することができる。
また、前記第１作動リンク部材３４ｂの先端を作動制御軸２３に連動可能に連結する。
そして、オーガ連結部２２にスクリューオーガ１の連結基部１１を嵌合し連結することで横穴掘削用ハンドオーガが組み立てられる（図２、図３参照）。
【００２０】
［縦穴掘削用支持部材］
縦穴掘削用支持部材４は、図４に示すように、第２支持板４２を固着した第２支持枠４３と、該第２支持枠４３に枢着された第２操作レバー４４と、前記第２支持板４２に固定された補助アーム連結部４５とからなっている。
【００２１】
［第２支持枠］
第２支持枠４３は、一定長さの中央部分に対して左右に延びる両端側が徐々に拡開しながら離間する略へ字状に形成されたパイプからなっている。
【００２２】
［第２支持板］
第２支持板４２は金属板からなっており、前記第２支持枠４３の中央部分を挟んで折れ曲がった個所を塞ぐように溶接等で固定されている。
この第２支持板４２には、前記駆動部２のオーガ連結部２２を貫挿する円形孔からなる第２挿通孔部４２ａと、該第２挿通孔部４２ａを中心にしてその周りに略等間隔に複数（図示例では４つ）の第２取付穴４２ｂとが穿設されている。
上記第２挿通孔部４２ａと第２取付穴４２ｂは、前記第１支持板３２の第１挿通孔部３２ａと第１取付穴３２ｂと同一の大きさで同一の配置からなっており共通しているので、その説明を省略する。
【００２３】
［第２操作レバー］
第２支持枠４３の一方のアームＡ１１側に、第２操作レバー４４が枢着Ｐ１１されている。
この第２操作レバー４４は、手動操作用の第２ハンドル部４４ａと、該第２ハンドル部４４ａと一体に連動して前記作動制御作軸２３を変位することのできる第２作動リンク部材４４ｂとからなっている。
第２ハンドル部４４ａは、前記アームＡ１１を中央にして内側に短手のグリップＧ１１が設けられ、外側に長手のグリップＧ１２が設けられており、上記グリップＧ１１、Ｇ１２間を繋ぐグリップ連結片Ｇ１３が形成された構成からなっており、上記グリップ連結片Ｇ１３の下面側が前記アームＡ１１に枢着Ｐ１１されている。
【００２４】
前記グリップ連結片Ｇ１３の上面側の中途位置（図示例では枢軸位置）には断面アングル状の連結片４４ｃが固着されており、該連結片４４ｃの上面にＬ状の棒材からなる第２作動リンク部材４４ｂが固着されて内向きで斜め前向きに延びている。
第２作動リンク部材４４ｂは、その先端が、前記第２支持板４２に固定された駆動部２の作動制御軸２３の先端に枢着されている。
【００２５】
本実施例では、第２作動リンク部材４４ｂの先端を薄肉に設定しておき、作動制御軸２３の先端に形成された図示しない溝に差し込み、両者を着脱可能なスナップピンで連結して、第２作動リンク部材４４ｂの枢動により作動制御軸２３を正逆方向に回転させるようになっている。
なお、符号４４ｄは、前記第２ハンドル部４４ａがアームＡ１１の前方へ突出する部分（長手のグリップＧ１２側）を略コ字状に覆う枠状ガードである。
また、符号Ｃは、オペレータへの衝撃を緩衝するための緩衝部材である。
【００２６】
［補助アーム連結部］
第２支持板４２には、オペレータの姿勢保持用の長手部材からなる補助アーム４６を着脱可能に連結する補助アーム連結部４５が設けられている。
本実施例では、第２支持板４２に立設されたブラケット４５ａに角筒状の連結部本体４５ｂが枢着されている。
【００２７】
補助アーム４６と、補助アーム連結部４５との連結構成として、本実施例では、前記オーガ連結部２２とスクリューオーガ１との連結構成と同じ構成が採られている。
即ち、補助アーム４６の先端に形成された連結基部４６ａには所定個所に配置されて出没可能なスナップボタン４６ｂが突設されている。
連結部本体４５ｂには、前記スナップボタン４６ｂを出没させる穴部４５ｃが形成されており、補助アーム４６を連結部本体４５ｂに着脱可能に連結することができる。
【００２８】
縦穴掘削用支持部材４は、上記構成からなっているので、駆動部２のオーガ連結部２２を第２支持板４２の第２挿通孔部４２ａに挿入して位置決めし、第２支持板４２の下方からボルト５を第２取付穴４２ｂに挿通して駆動部本体２１の固定受部２４にネジ止めし、駆動部２を第２支持板４２に固定することができる。
また、前記第２作動リンク部材４４ｂの先端を作動制御軸２３に連動可能に連結する。
そして、図５、図６に示すようにオーガ連結部２２にスクリューオーガ１の連結基部１１を嵌合し連結することで縦穴掘削用ハンドオーガが組み立てられる。
【００２９】
［スナップボタン用プライヤ］
次ぎに、前記スクリューオーガ１の連結基部１１をオーガ連結部２２から取り外す際に用いるスナップボタン用プライヤ６について説明する。
このスナップボタン用プライヤ６は、図７、図８に示すように、ウオータポンププライヤからなっており、その先端の一対の摘み部６ａのいずれか一方に、押込みピン６ｂを立設している。
【００３０】
本実施例では、前記先端の摘み部６ａに穴を穿ち、タッピングネジを固着して押込みピン６ｂとしている。
これにより、前記スナップボタン１２をスプリングの付勢力に抗して押し込むことが容易に行える。
そして、本実施例では、縦穴掘削用支持部材４における補助アーム連結部４５と補助アーム４６との連結構造も同様の構造としたので、補助アーム４６に設けたスナップボタン４６ｂに対しても同様にスナップボタン用プライヤ６を使用することができる。
【００３１】
なお、上記実施例では駆動部は油圧式のモータを用いる場合を例示したが、電動式のモータを用いる場合であってもよい。
その他、この考案は上記実施例に限定されるものではなく、用途などに応じ、この考案の要旨を変更しない範囲で種々設計変更しうること勿論である。
【図面の簡単な説明】
【００３２】
【図１】横穴掘削用支持部材と駆動部との取付状態を示す分解斜視図である。
【図２】横穴掘削用支持部材に駆動部を連結した状態の側面図である。
【図３】同背面図である。
【図４】縦穴掘削用支持部材と駆動部との取付状態を示す分解斜視図である。
【図５】縦穴掘削用支持部材に駆動部を連結した状態の背面図である。
【図６】同平面図である。
【図７】スナップボタン用プライヤの平面図である。
【図８】図７の要部を示す拡大図である。
【符号の説明】
【００３３】
１    スクリューオーガ
２    駆動部
３    横穴掘削用支持部材
４    縦穴掘削用支持部材
５    ボルト
６    スナップボタン用プライヤ
１１    連結基部
１２    スナップボタン
２１    駆動部本体
２２    オーガ連結部
３１    脚部
３２    第１支持板
３３    第１支持枠
３４    第１操作レバー
４２    第２支持板
４３    第２支持枠
４４    第２操作レバー
４５    補助アーム連結部
【図１】
0003127174.tif 000003
【図２】
0003127174.tif 000004
【図３】
0003127174.tif 000005
【図４】
0003127174.tif 000006
【図５】
0003127174.tif 000007
【図６】
0003127174.tif 000008
【図７】
0003127174.tif 000009
【図８】
0003127174.tif 000010